(57)【特許請求の範囲】
【請求項１】
高温水供給路を通して供給される温水を加熱部に供給させて加熱して給湯路を通して給湯する加熱給湯状態と、前記温水を前記加熱部に供給させずに加熱することなく前記給湯路を通して給湯する非加熱給湯状態とに切換え自在な切換手段と、
前記温水を加熱する熱交換式の前記加熱部、および、前記温水を加熱用設定温度に加熱するように前記加熱部の加熱作動を制御する加熱用制御部を備えている加熱手段と、
前記高温水供給路を通して供給される前記温水の温度を検出する温度検出手段と、
前記温度検出手段の検出情報に基づいて、その検出温度が湯水要求温度以上であるときには、前記切換手段を前記非加熱給湯状態に切換え、かつ、前記検出温度が前記湯水要求温度未満であるときには、前記切換手段を前記加熱給湯状態に切換えるように前記切換手段の切換作動を制御する給湯用制御手段とが設けられている給湯設備であって、
前記高温水供給路を通して供給される前記温水を前記加熱部に供給しかつ前記加熱部に供給される温水を加熱することなく前記給湯路を通して給湯するように温水供給作動する温水供給手段が設けられ、
前記給湯用制御手段が、前記温度検出手段の検出情報に基づいて、前記検出温度が前記湯水要求温度よりも許容用設定温度だけ高い温度であるときには、前記温水供給手段を前記温水供給作動させるように構成されている給湯設備。
【請求項２】
前記加熱用制御部が、点火通水量以上の前記温水が前記加熱部に供給されているときに、前記加熱部を加熱作動させるように構成され、
前記温水供給手段が、前記高温水供給路を通して供給される前記温水のうち前記点火通水量未満の温水が前記加熱部に供給すべく前記温水供給作動するように構成されている請求項１に記載の給湯設備。
【発明の詳細な説明】
【０００１】
【発明の属する技術分野】
本発明は、高温水供給路を通して供給される温水を加熱部に供給させて加熱して給湯路を通して給湯する加熱給湯状態と、前記温水を前記加熱部に供給させずに加熱することなく前記給湯路を通して給湯する非加熱給湯状態とに切換え自在な切換手段と、
前記温水を加熱する熱交換式の前記加熱部、および、前記温水を加熱用設定温度に加熱するように前記加熱部の加熱作動を制御する加熱用制御部を備えている加熱手段と、
前記高温水供給路を通して供給される前記温水の温度を検出する温度検出手段と、
前記温度検出手段の検出情報に基づいて、その検出温度が湯水要求温度以上であるときには、前記切換手段を前記非加熱給湯状態に切換え、かつ、前記検出温度が前記湯水要求温度未満であるときには、前記切換手段を前記加熱給湯状態に切換えるように前記切換手段の切換作動を制御する給湯用制御手段とが設けられている給湯設備に関する。
【０００２】
【従来の技術】
上記のような給湯設備において、高温水供給路を通して供給される温水と低温水供給路を通して供給される上水道水とを混合する混合装置と、前記温水を加熱する加熱装置と、前記高温水供給路を通して供給される前記温水の温度を検出する温度検出手段とが設けられ、前記混合装置が混合した混合温水を給湯路に給湯する状態と、混合した混合温水を加熱装置に供給する状態とに切換え自在に構成され、前記温度検出手段の検出温度が湯水要求温度未満のときには、混合装置を混合した混合温水を加熱装置に供給する状態に切換え、かつ、前記温度検出手段の検出温度が湯水要求温度以上のときには、混合装置を混合した混合温水を給湯路に給湯する状態に切換えるものが知られている（例えば、特開昭５９−１１９１２２号公報）。
【０００３】
説明を加えると、上記公報に記載の給湯設備は、太陽熱を利用して加熱した温水を貯湯式ボイラーに貯湯し、その貯湯式ボイラーから高温水供給路を通して混合装置に温水を供給するように構成され、前記温度検出手段の検出温度が湯水要求温度未満のときには、混合装置を混合した混合温水を加熱装置に供給する状態に切換えて、加熱装置にて温水を湯水要求温度に加熱するように混合装置を調整作動させて給湯する加熱給湯状態に切換え、前記温度検出手段の検出温度が湯水要求温度以上のときには、混合装置を混合した混合温水を給湯路に給湯する状態に切換えて、混合した混合温水が湯水要求温度になるように混合装置を調整作動させて給湯する非加熱給湯状態に切換えるようにしている。
そして、季節や天候により貯湯式ボイラーの一部分の温水しか加熱されていなかったり、十分に加熱されて貯湯式ボイラーに貯湯されていた温水がすべて給湯されたりするなどして、高温水供給路を通して供給される温水の温度が湯水要求温度以上から湯水要求温度未満に低下すると、非加熱給湯状態から加熱給湯状態に切り換わり、貯湯式ボイラーに貯湯されている温水の熱量を有効に活用しながら、湯水要求温度の湯水を給湯するようにしている。
【０００４】
【発明が解決しようとする課題】
しかしながら、従来の給湯設備では、高温水供給路を通して供給される温水の温度が湯水要求温度以上から湯水要求温度未満に低下すると、非加熱給湯状態から加熱給湯状態に切り換わることになるが、その初期には加熱装置に貯留していた冷めた湯水が給湯されることになり、湯水要求温度の湯水を給湯することができない虞があった。
【０００５】
本発明は、かかる点に着目してなされたものであり、その目的は、湯水要求温度の湯水を極力給湯することが可能となる給湯設備を提供する点にある。
【０００６】
【課題を解決するための手段】
この目的を達成するために、請求項１に記載の発明によれば、高温水供給路を通して供給される温水を加熱部に供給させて加熱して給湯路を通して給湯する加熱給湯状態と、前記温水を前記加熱部に供給させずに加熱することなく前記給湯路を通して給湯する非加熱給湯状態とに切換え自在な切換手段と、
前記温水を加熱する熱交換式の前記加熱部、および、前記温水を加熱用設定温度に加熱するように前記加熱部の加熱作動を制御する加熱用制御部を備えている加熱手段と、
前記高温水供給路を通して供給される前記温水の温度を検出する温度検出手段と、
前記温度検出手段の検出情報に基づいて、その検出温度が湯水要求温度以上であるときには、前記切換手段を前記非加熱給湯状態に切換え、かつ、前記検出温度が前記湯水要求温度未満であるときには、前記切換手段を前記加熱給湯状態に切換えるように前記切換手段の切換作動を制御する給湯用制御手段とが設けられている給湯設備であって、
前記高温水供給路を通して供給される前記温水を前記加熱部に供給しかつ前記加熱部に供給される温水を加熱することなく前記給湯路を通して給湯するように温水供給作動する温水供給手段が設けられ、
前記給湯用制御手段が、前記温度検出手段の検出情報に基づいて、前記検出温度が前記湯水要求温度よりも許容用設定温度だけ高い温度であるときには、前記温水供給手段を前記温水供給作動させるように構成されている。
【０００７】
つまり、例えば、太陽熱や燃焼排ガスの排熱を利用して加熱した温水を貯湯タンクなどに貯湯して、その貯湯タンクから高温水供給路を通して温水が供給するものに適応した場合には、高温水供給路を通して供給される温水の温度が湯水要求温度以上から湯水要求温度未満に低下すると、非加熱給湯状態から加熱給湯状態に切換えられることになる。
そして、貯湯されている温水が給湯されるなどして、温水の温度が湯水要求温度以上から湯水要求温度未満に低下して非加熱給湯状態から加熱給湯状態に切り換わる前の段階、すなわち前記温水の温度が前記湯水要求温度よりも許容用設定温度だけ高い温度である段階に、高温水供給路を通して供給される前記温水を前記加熱部に供給しかつ前記加熱部に供給される温水を加熱することなく前記給湯路を通して給湯するように温水供給作動することになる。
【０００８】
したがって、温水の温度が湯水要求温度よりも許容用設定温度だけ高い温度であるときに、その湯水要求温度よりも高い温水を加熱部に供給させることによって、非加熱状態から加熱給湯状態に切換えられる前に、加熱部に貯留している冷めた湯水を湯水要求温度よりも高い温水とともに、混合された混合湯水が湯水要求温度になるように低温水供給路から供給される上水道水などと混合して給湯することが可能となり、非加熱給湯状態から加熱給湯状態に切り換わった初期でも、湯水要求温度の湯水を給湯することが可能となる。
【０００９】
請求項２に記載の発明によれば、前記加熱用制御部が、点火通水量以上の前記温水が前記加熱部に供給されているときに、前記加熱部を加熱作動させるように構成され、
前記温水供給手段が、前記高温水供給路を通して供給される前記温水のうち前記点火通水量未満の温水が前記加熱部に供給すべく前記温水供給作動するように構成されている。
つまり、加熱手段として適応することが可能である給湯器には、通常、点火通水量以上の温水が加熱部に供給されているときに、加熱部を加熱作動させる機能が備えらており、この給湯器に予め備えられている機能を利用して、加熱部に供給する温水の水量を調整するだけで温水供給作動を行うことが可能となる。
したがって、加熱部の加熱作動を抑制することにより温水供給作動を行うものに比べて、加熱部の加熱作動を停止させるなどの特別な制御を追加することなく、温水供給作動を行うことができ、制御動作を容易にしながら、湯水要求温度の湯水を給湯することが可能となる。
【００１６】
【発明の実施の形態】
本発明にかかる給湯設備について、加熱手段と混合手段とが別体で形成されている場合の例を第１実施形態として図面に基づいて説明する。
〔第１実施形態〕
この給湯設備は、図１に示すように、加熱手段を備えた流体加熱ユニットとしての給湯器１と、混合手段を備えた混合ユニット２とから構成され、この給湯器１と混合ユニット２とが各別に形成されている。
【００１７】
前記給湯器１は、図２に示すように、給湯器側高温水供給路７ａを通して供給される温水を加熱する熱交換式の加熱部１４、および、前記温水を湯水要求温度よりも高い加熱用設定温度に加熱するように加熱部１４の加熱作動を制御する加熱用制御部１５を備えている加熱手段としての給湯部Ｔなどから構成され、加熱用制御部１５に制御情報などを指令する給湯器リモコンＲも設けられている。
そして、この給湯部Ｔは、湯水要求温度にかかわらず、湯水要求温度よりも高い一定の高温度を加熱用設定温度として設定して、温水を加熱するように構成され、加熱用制御部１５は、給湯器１に点火水量以上の温水が加熱部１４に供給されるいるときに、加熱部１４を加熱作動させるように構成されている。
【００１８】
前記混合ユニット２は、給湯器１にて加熱されて供給される加熱高温水および給湯器１にて加熱されることなく供給される非加熱高温水と低温水供給路３を通して供給される低温水とを混合して給湯路４に給湯する混合手段としての混合弁５と、高温水供給路７を通して供給される温水を給湯器１に供給させて加熱して混合弁５に供給して給湯する加熱給湯状態と、前記温水を給湯器１に供給させずに加熱することなく混合弁５に供給して給湯する非加熱給湯状態とに切換え自在な切換手段９と、混合弁５にて混合された混合湯水が湯水要求温度になるように混合弁５の調整作動を制御するとともに、切換手段９の切換作動を制御する給湯用制御手段Ｈと、湯水要求温度を設定変更自在でかつ給湯用制御手段Ｈに湯水要求温度などの制御情報を指令するための混合ユニット用リモコン８などから構成されている。
【００１９】
前記混合ユニット２には、太陽熱や燃焼排ガスの排熱などを利用して加熱されて貯湯タンク３０に貯湯されている温水を供給するための高温水供給路７、低温水としての水を供給するための低温水供給路３、および、混合弁５にて混合された混合湯水を給湯するための給湯路４のそれぞれが設けられている。
また、前記高温水供給路７には、高温水供給路７を通して供給される温水の温度を検出する温度検出手段としての供給温水温サーミスタ３１が設けられ、給湯路４には、給湯温度を検出する給湯温サーミスタ３２が設けられている。
【００２０】
そして、高温水供給路７が、前記温水を給湯器１に供給するための給湯器側高温水供給路７ａと前記温水を混合弁５に供給するための混合弁側高温水供給路７ｂとに分岐接続されて構成され、給湯器側高温水供給路７ａにはその給湯器側高温水供給路７ａの開度を調節自在な給湯器側比例弁９ａおよび給湯器１への温水の通水量を検出する給湯器通水量センサ６が設けられ、混合弁側高温水供給路７ｂにはその混合弁側高温水供給路７ｂを開閉自在な混合弁側開閉弁９ｂが設けられている。
【００２１】
つまり、給湯器側比例弁９ａおよび混合弁側開閉弁９ｂが、切換手段９として作用し、給湯器側比例弁９ａを全開状態にしかつ混合弁側開閉弁９ｂを閉状態にして、前記温水を加熱部１４にて加熱して混合弁５に供給する加熱給湯状態と、給湯器側比例弁９ａを全閉状態にしかつ混合弁側開閉弁９ｂを開状態にして、前記温水を加熱することなく混合弁５に供給する非加熱給湯状態とに切換え自在に構成されている。
【００２２】
また、前記混合ユニット２には、給湯器１の給水口１ａと接続するための給水接続口１０、および、給湯器１の給湯口１ｂと接続するための給湯接続口１１とが設けられ、給湯器１の給水口１ａと混合ユニット２の給水接続口１０とに連通接続される給湯器給水路１２、および、給湯器１の給湯口１ａと混合ユニット２の給湯接続口１１とに連通接続される給湯器給湯路１３が設けられている。
そして、高温水供給路７を通して混合ユニット２に供給される温水が給湯器給水路１２を通して給湯器１に供給され、給湯器１にて加熱された加熱温水が給湯器給湯路１３を通して混合ユニット２に供給されるように構成されている。
【００２３】
前記給湯用制御手段Ｈは、供給温水温サーミスタ３１の検出情報に基づいて、その検出温度が湯水要求温度未満のときには、給湯器側比例弁９ａを全開状態にしかつ混合弁側開閉弁９ｂを閉状態にして加熱供給状態に切換えて、混合弁５を調整作動させ、かつ、前記検出温度が湯水要求温度以上のときには、給湯器側比例弁９ａを全閉状態にしかつ混合弁側開閉弁９ｂを開状態にして非加熱供給状態に切換えて、混合弁５を調整作動させるとともに、前記検出温度が湯水要求温度よりも許容用設定温度だけ高い温度であるときには、高温水供給路７を通して供給される温水を給湯器１に供給しかつ加熱部１４に供給される温水を加熱することなく給湯路４を通して給湯するように温水供給作動を制御するように構成されている。
具体的に説明すると、供給温水温サーミスタ３１による検出温度が湯水要求温度未満のときには、高温水供給路７を通して供給される温水を給湯器１に供給して加熱し、給湯器１により加熱された加熱温水を混合弁５に供給して水と混合させ、給湯温サーミスタ３２の検出温度が湯水要求温度になるように混合弁５をフィードバック制御して、給湯路４を通して湯水要求温度の湯水を給湯するようにしている。
また、供給温水温サーミスタ３１による検出温度が湯水要求温度以上のときには、高温水供給路７を通して供給される温水をそのまま混合弁５に供給して水と混合させ、給湯温サーミスタ３２の検出温度が湯水要求温度になるように混合弁５をフィードバック制御して、給湯路４を通して湯水要求温度の湯水を給湯するようにしている。
【００２４】
そして、給湯中などに供給温水温サーミスタ３１による検出温度が湯水要求温度よりも許容用設定温度だけ高い温度になると、混合弁側開閉弁９ｂを開状態にした状態において、給湯器通水量センサ６の検出情報に基づいて、給湯器１に点火水量未満の温水が供給されるように給湯器側比例弁９ａの開度を調節し、給湯温サーミスタ３２の検出温度が湯水要求温度になるように混合弁５をフィードバック制御して、給湯路４を通して湯水要求温度の湯水を給湯するようにしている。
つまり、混合弁側開閉弁９ｂおよび給湯器側比例弁９ａが、温水供給手段Ｋとして作用するように構成されている。
【００２５】
説明を加えると、温水の温度が湯水要求温度未満になる前の湯水要求温度よりも許容用設定温度だけ高い温度まで低下したときに、混合弁側開閉弁９ｂを開状態にした状態において、給湯器通水量センサ６の検出情報に基づいて、給湯器１に点火水量未満の温水が供給されるように給湯器側比例弁９ａの開度を調節し、給湯器１に供給される温水を給湯器１に貯留している冷めた湯水とともに加熱部１４にて加熱することなく混合弁５に供給させるようにしている。
そして、混合弁側高温水供給路７ｂおよび給湯器１から供給される温水と低温水供給路３を通して供給される低温水とを、給湯温サーミスタ３２の検出温度が湯水要求温度になるように混合弁５をフィードバック制御して、給湯路４を通して湯水要求温度の湯水を給湯するようにしている。
【００２６】
このようにして、温水の温度が湯水要求温度未満になる前の湯水要求温度よりも許容用設定温度だけ高い温度まで低下したときに、高温水供給路７を通して供給される温水を給湯器１に供給させることにより、給湯器１に貯留されている冷めた湯水を予め給湯させておくことが可能となる。
したがって、さらに給湯が継続されて、高温水供給路７を通して供給される温水の温度が湯水要求温度未満まで低下して、加熱給湯状態に切換えられても、給湯器１に貯留していた冷めた湯水は予め給湯されることとなり、非加熱給湯状態から加熱給湯状態に切換えられた初期においても、湯水要求温度の湯水を給湯することが可能となる。
【００２７】
前記給湯器１には、燃焼室１６内に設けられている水加熱用の熱交換器１７、この熱交換器１７を加熱するガス燃焼式のバーナ１８などから構成され、このバーナ１８の上流側から燃焼用空気を通風するとともに、その通風量を変更調整自在なファン１９も設けられ、ファン１９の回転数を検出する回転数センサ１９ａも設けられ、水加熱用の熱交換器１７およびガス燃焼式のバーナ１８が、加熱部１４として作用するように構成されている。
そして、前記熱交換器１７には、給湯器給水路１２に連通接続される入水路２０、給湯器給湯路１３に連通接続される出湯路２１がそれぞれ接続されている。また、前記入水路２０には、熱交換器１７への通水量を検出する通水量センサ２２、入水路２０を通して供給される温水の温度を検出する入温水温サーミスタ２３がそれぞれ備えられ、出湯路２１には、給湯器給湯路１３に出湯される加熱温水の温度を検出する加熱温水温サーミスタ２４が設けられている。
【００２８】
前記バーナ１８に対する燃料供給路２５には、燃料供給を断続する電磁操作式の断続弁２６、燃料供給量（バーナ１８の燃焼量）を変更調節自在な電磁操作式のガス量調節弁２７が備えられ、バーナ１８の近くには、バーナ１８に対する点火動作を実行するイグナイタ２８と、バーナ１８が着火されているか否かを検出するフレームロッド２９とがそれぞれ備えられている。
【００２９】
前記加熱用制御部１５は、熱交換器１７への通水が開始されるに伴ってバーナ１８の燃焼を開始して、熱交換器１７への通水が停止されるに伴ってバーナ１８の燃焼を停止させるように制御するとともに、熱交換器１７へ通水されている通水状態において、出湯路２１から出湯される加熱温水の温度が加熱用温度になるようにバーナ１８の燃焼量を調整するように構成されている。
【００３０】
具体的に説明すると、通水量センサ２２にて検出される通水量が点火通水量を超えると、ファン１９による通風作動を開始し、かつ、断続弁２６を開弁させてガス量調節弁２７を点火用ガス量になるように開弁調整するとともに、イグナイタ２８によってバーナ１８へ着火し、フレームロッド２９によって確認する。
その後、入温水温サーミスタ２３、加熱温水温サーミスタ２４、通水量センサ２２のそれぞれの検出情報に基づいて、加熱温水の温度を加熱用温度にするために必要なバーナ１８の燃焼量を演算にて求める。そして、求められた燃焼量に対応するガス量になるようにガス量調節弁２７を調整制御するとともに、ファン１９の通風量が調整ガス量に対して適正燃焼状態になるようにファン１９の通風量を調整制御するフィードフォワード制御を実行し、さらに、加熱温水温サーミスタ２４の検出温度が加熱用設定温度になるように、ガス量調節弁２７の開度を微調整するフィードバック制御を実行する。
【００３１】
〔第２実施形態〕
この第２実施形態は、上記第１実施形態の別実施形態であり、加熱手段と混合手段が、給湯ユニットとして一体に形成されている例を示すものである。
以下、この第２実施形態について図面に基づいて説明する。
なお、上記第１実施形態と同様の構成については、同符号を記すことにより、その詳細な説明は省略する。
【００３２】
この給湯ユニットＫＹは、図３に示すように、高温水供給路７を通して供給される温水を加熱する熱交換式の加熱部１４、および、加熱部１４にて加熱されて供給される加熱高温水および加熱部１４にて加熱されることなく供給される非加熱高温水と低温水供給路３を通して供給される低温水とを混合して給湯路４に給湯する混合手段としての混合弁５が設けられている。
そして、前記温水を湯水要求温度よりも高い加熱用温度に加熱するように加熱部１４の加熱作動を制御するとともに、混合弁５にて混合された混合湯水が湯水要求温度になるように混合弁５の調整作動を制御する給湯用制御手段Ｈとしての給湯制御部３３が設けられ、湯水要求温度を設定変更自在でかつ給湯制御部３３に湯水要求温度などの制御情報を指令するための給湯ユニット用リモコン３４も設けられている。
【００３３】
前記高温水供給路７には、熱交換器１７を迂回するバイパス高温水供給路３５が接続され、このバイパス高温水供給路３５には、バイパス高温水供給路３５を開閉自在なバイパス開閉弁３６が設けられている。
そして、高温水供給路７には、バイパス高温水供給路３５との上流側接続箇所と熱交換器１７との間に、高温水供給路７の開度を調節自在な高温水比例弁３７および熱交換器１７への通水量を検出する熱交換器通水量センサ３８が設けられている。
【００３４】
そして、前記給湯制御部３３は、熱交換器１７に点火通水量以上の温水が供給されている状態において、湯水要求温度にかかわらず、湯水要求温度よりも高い一定の高温度を加熱用温度として設定して、温水を加熱すべく加熱部１４の加熱作動を制御するように構成されている。
【００３５】
前記給湯制御部３３は、供給温水温サーミスタ３１の検出温度に基づいて、その検出温度が湯水要求温度以上のときには、高温水比例弁３７を全閉させかつバイパス開閉弁３６を開状態にして、温水を加熱部１４に供給させずに加熱することなく給湯路４を通して給湯する非加熱給湯状態に切換え、かつ、前記検出温度が湯水要求温度未満のときには、高温水比例弁３７を全開させかつバイパス開閉弁３６を閉状態にして、温水を加熱部１４に供給させて加熱して給湯路４を通して給湯する加熱給湯状態に切換えるとともに、前記検出温度が湯水要求温度よりも許容用設定温度だけ高い温度に低下すると、バイパス開閉弁３６を開状態にして、熱交換器通水量センサ３９の検出通水量が点火通水量未満になるように高温水比例弁３７の開度を調節して温水供給作動するように構成されている。
つまり、高温水比例弁３７およびバイパス開閉弁３６が、切換手段９および温水供給手段Ｋとして作用するように構成されている。
【００３６】
具体的に説明すると、供給温水温サーミスタ３１による検出温度が湯水要求温度以上のときには、高温水比例弁３７を全閉させかつバイパス開閉弁３６を開状態にして、温水を加熱部１４に供給させずに混合弁５に供給させ、給湯温サーミスタ３２の検出温度が湯水要求温度になるように混合弁５がフィードバック制御され、給湯路４を通して湯水要求温度の湯水を給湯するようにしている。
また、供給温水温サーミスタ３１による検出温度が湯水要求温度未満のときには、高温水比例弁３７を全開させかつバイパス開閉弁３６を閉状態にして、温水を加熱部１４に供給させて加熱し、その加熱温水を混合弁５に供給させ、給湯温サーミスタ３２の検出温度が湯水要求温度になるように混合弁５がフィードバック制御され、給湯路４を通して湯水要求温度の湯水を給湯するようにしている。
【００３７】
そして、温水の温度が湯水要求温度未満になる前の湯水要求温度よりも許容用設定温度だけ高い温度まで低下したときに、バイパス開閉弁３６を開状態にして、熱交換器通水量センサ３９の検出通水量が点火通水量未満になるように高温水比例弁３７の開度を調節し、高温水供給路７を通して供給される温水を加熱することなく混合弁５に供給させ、給湯温サーミスタ３２の検出温度が湯水要求温度になるように混合弁５がフィードバック制御され、給湯路４を通して湯水要求温度の湯水を給湯するようにしている。
【００３８】
また、加熱給湯状態においては、加熱部１４にて加熱された加熱温水の温度が加熱用設定温度になるようにバーナ１８の燃焼量を調整すべく、供給温水温サーミスタ３１および熱交換器通水量センサ３８の検出情報に基づいて、断続弁２６およびガス量調節弁２７の開度、および、ファン１９の作動をフィードフォワード制御するようにしている。
なお、熱交換器１７と混合弁５との間の高温水供給路７に、熱交換器１７にて加熱された加熱温水の温度を検出する加熱温水温サーミスタを設け、上述のフィードフォワード制御に加えて、加熱温水温サーミスタの検出情報に基づいて、ガス量調節弁２７の開度を微調整するフィードバック制御を実行するようにしてもよい。
【００３９】
〔別実施形態〕
（１）上記第１および２実施形態では、高温水供給路７を通して供給される温水を、湯水要求温度にかかわらず、一定の高温度に加熱するようにしているが、高温水供給路７を通して供給される温水を、湯水要求温度よりも設定温度だけ高い温度に加熱するようにしてもよい。
この場合には、混合ユニット用リモコン８と給湯器１のリモコンＲとが通信自在に構成され、加熱用温度が湯水要求温度よりも設定温度だけ高い温度に設定されることになる。
【００４０】
（２）上記第１および２実施形態では、混合弁５が、加熱部１４にて加熱されて供給される高温水と低温水供給路３を通して供給される低温水とを混合して給湯路４に給湯するように構成されているが、混合弁が高温水供給路７を通して供給される温水と低温水供給路３を通して供給される低温水を混合して加熱部１４に供給して、加熱部１４にて加熱された加熱温水を給湯路４に給湯するように構成してもよい。
【００４１】
そして、上記の如く、混合弁が高温水供給路７を通して供給される温水と低温水供給路３を通して供給される低温水を混合して加熱部１４に供給して、加熱部１４にて加熱された加熱温水を給湯路４に給湯するように構成した給湯設備において、上記第１実施形態の如く、給湯器１と混合ユニット２とを各別に形成する場合と、上記第２実施形態の如く、加熱手段と混合手段とが、給湯ユニットＫＹとして一体に形成する場合があるが、上記第１実施形態の如く、給湯器１と混合ユニット２とを各別に形成した場合について、図１に示す構成を図４に示す構成に代えて説明する。
なお、上記第１実施形態と同様の構成については、同符号を記すことにより、その詳細な説明は省略する。
【００４２】
給湯器リモコンＲと混合ユニット用リモコン８とが通信自在に構成され、給湯器１は、点火通水量以上の混合温水が供給されている状態で、加熱用設定温度を湯水要求温度と設定して、供給される混合温水を加熱するように構成されている。
そして、混合ユニット２には、図４に示すように、高温水供給路７を通して供給される高温水と低温水供給路３を通して供給される低温水とを混合して混合温水供給路３９に供給する混合弁５ａが設けられている。
そして、混合温水供給路３９は、混合弁５にて混合された混合温水をそのまま給湯路４に給湯させる給湯用混合温水供給路３９ａと混合弁５ａにて混合された混合温水を給湯器１に供給させてから給湯路４に給湯させる加熱用混合温水供給路３９ｂとが分岐接続されている。
前記加熱用混合温水供給路３９ｂには、加熱用混合温水供給路３９ｂの開度を調節自在な混合温水比例弁４０および給湯器１への通水量を検出する給湯器通水量センサ６が設けられ、給湯用混合温水供給路３９ａには、給湯用混合温水供給路３９ａを開閉する給湯開閉弁４１が設けられている。
【００４３】
そして、給湯用制御手段Ｈは、供給温水温サーミスタ３１の検出情報に基づいて、その検出温度が湯水要求温度未満のときには、混合温水比例弁４０を開弁させかつ給湯開閉弁４１を閉弁させて、混合弁５ａにて混合された混合温水が給湯器１に供給されて湯水要求温度になるように加熱されて給湯される加熱給湯状態に切換え、前記検出温度が湯水要求温度以上のときには、混合温水比例弁４０を全閉させかつ給湯開閉弁４１を開弁させると、混合弁５ａにて混合された混合温水が給湯器１に供給されずに加熱されることなく給湯される非加熱給湯状態に切換えるとともに、供給温水温サーミスタ３１による検出温度が湯水要求温度よりも許容用設定温度だけ高い温度であるときには、給湯開閉弁４１を開弁させた状態で、給湯器通水量センサ６の検出通水量が給湯器１の点火水量未満になるように混合温水比例弁４０の開度を調節して温水供給作動するように構成されている。
つまり、混合温水比例弁４０および給湯開閉弁４１が、切換手段９および温水供給手段Ｋとして作用するように構成されている。
【００４４】
（３）上記第１および２実施形態では、点火通水量以上の温水が加熱部１４に供給されているときに、加熱部１４を加熱作動させるように構成して、加熱部１４への通水量を点火通水量未満に調節して温水供給作動するようにしているが、加熱部１４の加熱作動を牽制させて温水供給作動するようにしてもよい。
【００４５】
説明を加えると、上記第１実施形態においては、供給温水温サーミスタ３１による検出温度が湯水要求温度よりも許容用設定温度だけ高い温度であるときには、給湯器側比例弁９ａおよび混合弁側開閉弁９ｂを開状態にするとともに、加熱部１４の加熱作動を開始させないように牽制して温水供給作動させる。
また、上記第２実施形態においては、供給温水温サーミスタ３１による検出温度が湯水要求温度よりも許容用設定温度だけ高い温度であるときには、高温水比例弁３７およびバイパス開閉弁３６を開状態にするとともに、加熱部１４の加熱作動を開始させないように牽制して温水供給作動させる。
【００４６】
（４）上記第１および２実施形態では、給湯温サーミスタ３２の検出温度が湯水要求温度になるように混合弁５の調整作動をフィードバック制御するようにしているが、混合弁５に供給される高温水の温度を検出する高温水温サーミスタおよび混合弁５に供給される低温水の温度を検出する低温水サーミスタを設け、これら高温水温サーミスタおよび低温水サーミスタの検出情報に基づいて、混合弁５にて混合された湯水の温度が湯水供給温度になるように混合弁５の調整作動をフィードフォワード制御するようにしてもよい。
または、上記の如く、高温水温サーミスタおよび低温水サーミスタの検出情報に基づいて、混合弁５にて混合された湯水の温度が湯水供給温度になるように混合弁５の調整作動をフィードフォワード制御するとともに、給湯温サーミスタ３２の検出温度が湯水要求温度になるように混合弁５の調整作動をフィードバック制御するようにしてもよい。
【図面の簡単な説明】
【図１】第１実施形態における給湯設備の概略構成図
【図２】第１実施形態における流体加熱ユニットの概略構成図
【図３】第２実施形態における給湯ユニットの概略構成図
【図４】別実施形態における給湯設備の概略構成図
【符号の説明】
１              流体加熱ユニット
２              混合ユニット
３              低温水供給路
４              給湯路
５              混合手段
７              高温水供給路
９              切換手段
１４            加熱部
１５            加熱用制御部
３１            温度検出手段
Ｈ              給湯用制御手段
Ｋ              温水供給手段
ＫＹ            給湯ユニット
Ｔ              加熱手段
【図１】
0004326093.tif 000002
【図２】
0004326093.tif 000003
【図３】
0004326093.tif 000004
【図４】
0004326093.tif 000005